(57)【要約】【課題】少ない操作部材でより複雑な項目を設定するための技術を提供すること。【解決手段】撮像装置は、撮影に関わる項目の設定値を変更するためにユーザにより操作される操作部と、前記ユーザによる押圧力を検知する検知部と、前記検知部により検知された押圧力のレベルに応じて、前記操作部の操作により変更する対象の項目を切り替える制御部と、を有する。【選択図】図２
2019053494.tif 000002
【特許請求の範囲】
【請求項１】
撮影に関わる項目の設定値を変更するためにユーザにより操作される操作部と、
前記ユーザによる押圧力を検知する検知部と、
前記検知部により検知された押圧力のレベルに応じて、前記操作部の操作により変更する対象の項目を切り替える制御部と、
を有することを特徴とする撮像装置。
【請求項２】
前記操作部は、前記ユーザの第１の手で操作される位置に設けられており、
前記検知部は、前記第１の手とは異なる、第２の手による押圧力を検知する位置に設けられていることを特徴とする請求項１に記載の撮像装置。
【請求項３】
前記撮像装置は、前記第２の手で操作される円筒状のレンズユニットと、前記レンズユニットが装着されるマウントを有する撮像装置本体と、を有しており、
前記検知部は、前記マウント又は前記レンズユニットに設けられていることを特徴とする請求項２に記載の撮像装置。
【請求項４】
前記検知部は、前記マウント又は前記レンズユニットの側面部に設けられていることを特徴とする請求項３に記載の撮像装置。
【請求項５】
前記検知部は、前記マウント又は前記レンズユニットの周囲の複数の位置に設けられていることを特徴とする請求項３に記載の撮像装置。
【請求項６】
前記操作部は、回転部材であり、
前記制御部は、前記操作部の回転量に応じて前記対象の項目を変更することを特徴とする請求項１〜５のいずれか１項に記載の撮像装置。
【請求項７】
前記検知部は、圧電センサであり、
前記制御部は、前記押圧力が所定範囲となった場合に前記検知部に所定の電圧を加えて振動させることを特徴とする請求項１〜６のいずれか１項に記載の撮像装置。
【請求項８】
前記制御部は、前記押圧力の変化により押圧レベルが切り替わった場合に前記検知部に電圧を加えて振動させることを特徴とする請求項７に記載の撮像装置。
【請求項９】
ユーザによる押圧力を検知部が検知するステップと、
撮影に関わる項目の設定値を変更するためにユーザにより操作される操作部の操作により変更する対象の項目を、前記検知部が検知した押圧力のレベルに応じて切り替えるステップと、
前記操作部の操作に応じて対象の項目の設定値を変更するステップと、
を有することを特徴とする撮像装置の制御方法。
【請求項１０】
コンピュータに、請求項９に記載された撮像装置の制御方法の各ステップを実行させるためのプログラム。
【請求項１１】
請求項９に記載された撮像装置の制御方法の各ステップをコンピュータに実行させるためのプログラムを格納したコンピュータが読み取り可能な記憶媒体。
【発明の詳細な説明】
【技術分野】
【０００１】
本発明は、撮像装置の操作に関する。
【背景技術】
【０００２】
一眼レフカメラ等の撮像装置においては、撮影に関する設定項目を操作するためのボタン、ダイヤル等の操作部材が多数設けられている。素早く設定を完了させるためには、各操作部材の配置を把握しておく必要があり、初心者にとっては操作が困難であった。
そこで、操作部材に対する押圧に応じて異なる機能を実行させれば、１つの操作部材に複数の機能を持たせることができるようになる。例えば、特許文献１には、ポインティングデバイスに対する押圧に応じて、カーソルの移動速度や移動距離を変化させる技術が開示されている。また、特許文献２には、１つの操作キーに対して複数の機能が割り当てられ、操作キーを押下した際の押圧に応じて機能を切り替えて実行することが記載されている。
【先行技術文献】
【特許文献】
【０００３】
【特許文献１】特開２００７−２５７６５０号公報
【特許文献２】特開２００２−２４４７８９号公報
【発明の概要】
【発明が解決しようとする課題】
【０００４】
しかしながら、細分化された多数の項目のうちの一つを選択する場合や、所定の数値範囲内においてパラメータ値を１つ選択する場合のように設定項目が複雑な場合に、上述の特許文献１及び特許技術２のような技術を用いることができなかった。
本発明は、上記の問題点に鑑み、少ない操作部材でより複雑な項目を設定するための技術を提供することを目的とする。
【課題を解決するための手段】
【０００５】
本発明の第一態様は、撮影に関わる項目の設定値を変更するためにユーザにより操作される操作部と、前記ユーザによる押圧力を検知する検知部と、前記検知部により検知された押圧力のレベルに応じて、前記操作部の操作により変更する対象の項目を切り替える制御部と、を有することを特徴とする撮像装置を提供する。
【発明の効果】
【０００６】
本発明によれば、少ない操作部材でより複雑な項目を設定することができる。
【図面の簡単な説明】
【０００７】
【図１】撮像装置の外部構成を示す図である。
【図２】実施例１の撮像装置の内部構成の例を示すブロック図である。
【図３】押圧力による対象項目変更処理のフローを示す図である。
【図４】設定可能項目マトリクスの一例を示したものである。
【図５】設定項目画面の表示例を示す図である。
【図６】撮像装置の外部構成を示す図である。
【図７】実施例２の撮像装置の内部構成の例を示すブロック図である。
【図８】感圧センサ切り替え処理のフローの例を示す図である。
【発明を実施するための形態】
【０００８】
以下、本発明の好ましい実施例について、図面を参照しながら詳細に説明する。各図において、同一の構成については原則として同一の参照番号をふり、重複する説明は省略する。また、説明を具体化するために例示する数値等は、特に言及しない限りは、これに限定するものではない。
また、本発明は以下の実施例に限定されるものではなく、その要旨を逸脱しない範囲において適宜変更可能である。例えば、本発明が適用される装置の構成や各種条件によって下記実施例の各構成が適宜修正又は変更されてもよい。
【０００９】
＜実施例１＞
［撮像装置の外部構成］
図１Ａ及び図１Ｂは、撮像装置１００の外部構成を示す図である。図１Ａは撮像装置１００の前面斜視図であり、図１Ｂは撮像装置１００の背面斜視図である。液晶パネル表示部２８は、画像や各種情報を表示する表示部である。シャッターボタン６１は、撮影指示を行うための操作部である。モード切替スイッチ６０は、各種モードを切り替えるための操作部である。端子カバー４０は、外部機器との接続ケーブルと撮像装置１００とを接続する接続ケーブル等のコネクタ（不図示）を保護するカバーである。
【００１０】
操作部７０は、メインダイヤル７１、電源スイッチ７２、サブダイヤル７３、十字キー７４、ＳＥＴボタン７５、ＬＶボタン７８、再生ボタン７９を含む。メインダイヤル７１は、シャッター速度や絞り値などの撮影に関わる設定項目の値（設定値）を変更するためにユーザによって操作される操作部（回転部材）である。メインダイヤル７１の回転量に応じて対象の設定項目が変更される。電源スイッチ７２は、撮像装置１００の電源のＯＮ及びＯＦＦを切り替える操作部材である。サブダイヤル７３（操作部）は、メインダイヤル７１と同様に、撮影に関わる設定項目の値を変更するための回転操作部材である。サブダイヤル７３には通常、メインダイヤル７１と異なる設定項目が割り当てられる。十字キー７４は、上、下、左、右部分をそれぞれ押し込み可能な４方向キーである。十字キー７４の押された部分に応じた操作が可能である。ＳＥＴボタン７５は、主に選択項目の決定などに用いられる押しボタンである。ＬＶボタン７８は、ライブビューのＯＮとＯＦＦを切り替えるボタンである。動画撮影モードにおいては、ＬＶボタン７８は動画撮影（記録）の開始、停止の指示に用いられる。再生ボタン７９は、撮影モードと再生モードとを切り替える操作ボタンである。撮影モード中に再生ボタン７９を押下することで再生モードに移行し、記録媒体２００に記録された画像のうち最新の画像が液晶パネル表示部２８に表示される。
【００１１】
レンズユニット２００は、複数のレンズを有しており、被写体の光学像を撮像素子１２１（図２）に導く。
接眼ファインダ１６は、レンズユニット２００を通して得た被写体の光学像の焦点や構図の確認を行うための覗き込み型のファインダである。グリップ部９０は、ユーザが撮像装置１００を構えた際に右手で握りやすい形状とした保持部である。
【００１２】
感圧センサ１５６（検知部）は、ユーザにより与えられた押圧力を検知する。押圧力は、感圧センサ１５６が検出した圧力値である。感圧センサ１５６は、ユーザが右手（第１の手）でグリップ部９０を把持した場合に、左手（第２の手）による押圧力を検知しやすい位置に設けられる。具体的には、本実施例において感圧センサ１５６は、レンズユニット２００を取り付けるレンズマウント１０２（図２）の側面部や、レンズマウント１０２周囲の複数の位置に設けられる。また、図１Ａの例では、網掛けされた部分に感圧センサ１５６が設けられており、左側面だけでなく下側面、右側面にも感圧センサ１５６が設けられている。
これにより、ユーザがレンズユニット２００に左手を添えて撮像装置１００を支えた場合に、左手で容易に感圧センサに触れることができるため、押圧力を調節しやすい。なお
、レンズユニット２００側に感圧センサを設ける例については、実施例２で説明する。
【００１３】
また、感圧センサ１５６が特定の位置にあったり、面積が小さかったりすると、ユーザにとっては狭い領域にピンポイントで触れつつ、触れている指の押圧を調節しなければならず、使いにくい。また、撮像装置１００の構え方はユーザによって異なるため、構え方によっては感圧センサ１５６に触れにくい場合がある。
そこでレンズマウント１０２の周辺に円環状に感圧センサ１５６を配置してもよい。これにより、レンズユニット２００を好きな位置で把持しつつ感圧センサ１５６への押圧を調節することができるので使い勝手が向上する。
【００１４】
一方で、メインダイヤル７１及びサブダイヤル７３は、右手で操作される位置に設けられている。これにより、複数のダイヤルがある場合であっても、左手で感圧センサ１５６への押圧を調節しつつ、右手でメインダイヤル７１及びサブダイヤル７３を操作することができる。
【００１５】
また、感圧センサ１５６には、静電容量センサ、歪みセンサ又は圧電センサのいずれを用いてもよい。これらのうち、圧電センサを使用した場合には、圧電センサに対して電圧を加えることで、圧電センサを振動させることができる。この性質を利用し、例えば、ユーザによって与えられた押圧力が所定範囲にある場合には、システム制御部１２０は圧電センサに所定の電圧を加えて振動を発生させてもよい。この処理を行うことで、ユーザは、押圧力が所定範囲内で維持できているかを撮影時に確認することができる。
【００１６】
図２は、実施例１の撮像装置１００の内部構成の例を示すブロック図である。
レンズユニット２００は、交換可能な撮影レンズを搭載するレンズユニットである。図２の点線ｌは、撮像装置１００に入った入射光の光路を示しており、入射光は、撮影レンズ２１０及び絞り２１１を通過して撮像素子１２１に導かれ、光学像が形成される。撮像素子１２１は、光学像を電気信号に変換する。また、撮像素子１２１は、いわゆる撮像面位相差方式の焦点検出を行うこともできる。人体検出部１５５は、撮像された画像から人体を検出し、顔検出部１５３は、被写体の顔を検出する。また、動体検知部１５４は、画像から動体を検出し、動体を追尾する。顔検出部１５３、動体検知部１５４及び人体検出部１５５は、焦点検出する位置を決定する際に使用される。
【００１７】
Ａ／Ｄ変換部１２２は、撮像素子１２１から出力されたアナログ信号をデジタル信号に変換する。Ａ／Ｄ変換部１２２でＡ／Ｄ変換されたデジタル信号は、メモリ制御部１２４及びシステム制御部１２０により制御され、メモリ１２７に格納される。
画像処理部１２３は、Ａ／Ｄ変換部１２２でＡ／Ｄ変換されたデジタル信号のデータ、又はメモリ制御部１２４からのデータに対して所定の画素補間処理や色変換処理を行う。
【００１８】
表示装置１１０は、タッチパネル部７０ａ、液晶パネル表示部２８及びバックライト照明部１２６を備えた液晶ディスプレイである。液晶パネル表示部２８は、メモリ１２７の画像表示データ用領域に格納されたデータに基づいてメニュー画面を表示したり、外部着脱メモリ部１３０に格納された画像データに基づいて撮影画像を表示したりすることができる。また、表示装置１１０は、撮像素子１２１から得られた撮像データを逐次リアルタイムにスルー画像表示することでライブビュー表示を行うこともできる。さらに、表示装置１１０は、システム制御部１２０の制御により、ライブビュー表示においてＡＦ(Auto Focus)対象の被写体の位置をユーザが認識できるよう、ＡＦ領域を示すＡＦ枠を被写体の部分に重畳して表示することもできる。
バックライト照明部１２６は、液晶パネル表示部１２５に対して背面照射する。バックライト照明の光源素子としては、ＬＥＤ、有機ＥＬ、蛍光管等がある。バックライト照明部１２６は、システム制御部１２０の制御により、画像の輝度値に応じて任意の位置の照
明を点灯又は消灯することが可能である。なお、表示装置１１０には、液晶パネル以外に有機ＥＬ素子などの他の表示デバイスを用いてもよい。
【００１９】
システム制御部１２０は、撮像装置１００全体を制御する。メモリ１２７は、所定枚数の静止画像や動画像を格納するのに十分な記憶媒体であり、撮影した静止画像、動画像及び再生用表示のための画像のデータが格納される。また、メモリ１２７には、システム制御部１２０がプログラムを実行するためのプログラムスタック領域、ステータス記憶領域、演算用領域、ワーク用領域及び画像表示データ用領域が確保されている。システム制御部１２０は、メモリ１２７の演算用領域を用いて各種の演算及び処理を実行する。また、メモリ１２７は、焦点検出結果や追尾結果を記憶することもできる。
不揮発性メモリ１２８は、電気的に消去・記録可能な記憶領域であり、例えばフラッシュメモリやＥＥＰＲＯＭ等である。不揮発性メモリ１２８には、撮影状態の保存や、撮像装置１００を制御するプログラムが格納される。
【００２０】
カメラ制御部１４０は、シャッター制御部１４１及び測光部１４２の送受通信によりカメラとしての一連の動作を制御する。また、カメラ制御部１４０は、レンズユニット２００、ストロボユニット３００を制御することも可能である。
撮像装置１００は、モード切替スイッチ６０、シャッターボタン６１、メインダイヤル７１、電源スイッチ７２、サブダイヤル７３、再生ボタン７９等の操作部材を有する。シャッターボタン６１は、半押しでＳＷ１信号がオンとなり、全押しでＳＷ２信号がオンとなるスイッチである。シャッターボタン６１を半押しすることによりＳＷ１信号がシステム制御部１２０に送信され、ＡＦ処理、ＡＥ処理、ＡＷＢ（オートホワイトバランス）処理、ＥＦ（フラッシュ調光）処理等の動作が開始される。また、シャッターボタン６１を全押しすることによりＳＷ２信号がシステム制御部１２０に送信され、撮像処理等が開始される。なお、モード切替スイッチ６０、メインダイヤル７１、電源スイッチ７２、サブダイヤル７３、再生ボタン７９に関しては、図１Ａ及び図１Ｂで説明したため説明を省略する。また、システム制御部１２０は、上記操作部材以外に、視線検知によるポインティング、音声認識装置等によりユーザから各種指示を受け付けてもよい。
タイマー１３９は、各種制御に用いる時間や、内蔵された時計の時間を計測する計時部である。加速度センサ１５２は、撮影時の姿勢を検知する際に用いられる。
【００２１】
レンズマウント１０２及び取付部２０２は、撮像装置１００とレンズユニット２００とを機械的に接続する一方で、コネクタ１０１及び２０１は、撮像装置１００とレンズユニット２００とを電気的に接続する。コネクタ１０１及び２０１を介してカメラ制御部１４０からレンズユニット２００に対して各種信号が送信される。
レンズユニット２００は、被写体の光学像を撮影レンズ２１０から撮像素子１２１に導き、撮像素子１２１上で結像させる。なお、レンズユニット２００は、撮像装置１００から取り外して、撮像装置１００に他のレンズユニットを取り付けることもできる。
レンズユニット２００は不図示のメモリを有し、メモリには動作用の定数、変数、プログラム等が記憶される。さらに、レンズユニット２００は不図示の不揮発性メモリを有し、不揮発性メモリにはレンズユニット２００固有の識別情報、管理情報、開放絞り値や最小絞り値、焦点距離等の機能情報、現在や過去の各設定値等が記憶される。
レンズ制御部２０４は、レンズユニット２００が有するメモリを用いてレンズユニット２００全体を制御する。例えば、レンズ制御部２０４は距離検出部２０３又は画像処理部１２３より測定された画像の合焦状態に応じて、撮影レンズ２１０の各位置を制御し、撮像素子１２１に導かれた被写体像の結像位置を変更することでＡＦ動作を行う。また、レンズ制御部２０４は絞り２１１の制御や、撮影レンズ２１０のズーミングを制御する。
【００２２】
ストロボ発光制御部３０２は、ストロボユニット３００全体を制御する。ストロボ発光制御部３０２は、測光部１４２によって測定された測光情報をコネクタ１１１及び３０１
を介して受信し、測光情報を用いて不図示のキセノン管等の発光部に対する発光量や発光タイミングを制御する。
【００２３】
感圧センサ１５６は、検知した押圧力に応じた電気信号をシステム制御部１２０に出力する。
システム制御部１２０は、感圧センサ１５６により検知された押圧力の押圧レベルに応じて、メインダイヤル７１及びサブダイヤル７３の操作により変更する対象の項目を切り替える制御部として機能する。
押圧レベルは、押圧力を閾値により区分したものであり、押圧力の強度を段階的に表す。本実施例では、押圧レベルが大きいほど押圧力が大きいものとする。例えば、押圧レベルが閾値Ａのみによって区分される場合、押圧レベルは閾値Ａ未満の押圧レベル１と、閾値Ａ以上の押圧レベル２とが設定される。また、押圧レベルが閾値Ａ、閾値Ｂ（閾値Ａ＜閾値Ｂ）によって区分される場合、押圧レベルは閾値Ａより小さい押圧レベル１と、閾値Ａ以上で閾値Ｂより小さい押圧レベル２と、閾値Ｂ以上の押圧レベル３とが設定される。なお、押圧レベルは、３以上の閾値によって区分されてもよい。
【００２４】
図３は、押圧力による対象項目変更処理のフローを示す図である。以下、図３のフローチャートを参照して、本実施例の撮像装置１００の、押圧力による設定値変更処理動作について説明する。
ステップＳ３０１では、システム制御部１２０は、感圧センサ１５６から受信した電気信号をもとに、押圧力が閾値Ａより大きいか否かを判定する。本実施例においては、閾値Ａ、閾値Ｂ、閾値Ｃ及び閾値Ｄ（閾値Ａ＜閾値Ｂ＜閾値Ｃ＜閾値Ｄ）があらかじめ設定され、各閾値によって区分された範囲がそれぞれ押圧レベルとなる。閾値Ａは、感圧センサ１５６に触れたか否かを検出するための閾値であり、閾値の中で最も低い値となっている。本実施例では、押圧力が閾値Ａ以下の場合には、メインダイヤル７１及びサブダイヤル７３に対象項目を割り当てないので、メインダイヤル７１及びサブダイヤル７３を回動させても、システム制御部１２０は動作しない。これにより、メインダイヤル７１及びサブダイヤル７３を誤って回動させた場合の誤作動を抑制することができる。なお、押圧力が閾値Ａ以下の場合においても、メインダイヤル７１及びサブダイヤル７３に対象項目を割り当ててもよい。
【００２５】
ステップＳ３０２では、システム制御部１２０は表示装置１１０のバックライト照明部１２６が点灯しているか否かを判定する。これにより、表示装置１１０が現在表示中であるか否かが判定される。バックライト照明部１２６が点灯中である場合、ステップＳ３０５に進む。バックライト照明部１２６が点灯中ではない場合、ステップＳ３０３に進む。
ステップＳ３０３では、カメラ制御部１４０はファインダ内表示部１１２が表示中か否かを判定する。表示中である場合、ステップＳ３０６に進む。表示中ではない場合、ステップＳ３０４に進む。
【００２６】
ステップＳ３０４では、システム制御部１２０は、表示装置１１０及びファインダ内表示部１１２がスリープ状態であるか否かを判定する。スリープ状態でなければ、ステップＳ３０２に進む。スリープ状態である場合には、スリープ状態が解除されるまで待機する。
【００２７】
ステップＳ３０５では、システム制御部１２０は、表示装置１１０用の設定可能項目マトリクスを不揮発性メモリ１２８から読み出す。設定可能項目マトリクスは、メインダイヤル７１及びサブダイヤル７３に対象項目として割り当て可能な各設定項目（以下、設定可能項目）を、押圧力のレベル毎に対応付ける。すなわち、設定可能項目マトリクスは、押圧力の各レベルに対してどの設定可能項目を割り当てるかを示すデータである。
この設定可能項目マトリクスは表示装置１１０用と、ファインダ内表示部１１２用とで
異なり、ステップＳ３０５では表示装置１１０用の設定可能項目マトリクスが読み出される。なお、設定可能項目マトリクスは、表示装置１１０用と、ファインダ内表示部１１２用とで共通してもよい。
【００２８】
図４は、設定可能項目マトリクスの一例を示したものである。図４の例は、表示装置１１０用の設定可能項目マトリクスであり、押圧レベルが１〜３までの３段階に区分される。また、「標準」「モード１」「モード２」の３つのモードがあり、各モードでメインダイヤル７１及びサブダイヤル７３に割り当てられる設定可能項目が異なる。例えば、「標準」の設定可能項目マトリクスにおいては、押圧レベルが２段階目であれば、メインダイヤル７１の対象項目は「Ｔｖ」となり、押圧レベルが３段階目であれば、対象項目はＩＳＯ感度となる。また、図４の設定可能項目マトリクスに示されている「Ａｖ(Aparture Value)」は、絞り値の設定であり、「Ｔｖ(Time Value)」は、シャッタースピードの設定である。また、「ＷＢ(White Balance)」は、ホワイトバランスの設定である。また、「ｄ
ｒｉｖｅ」は、１枚撮影、高速連続撮影、低速連続撮影などの連写設定（ドライブモード）を示している。また、測距枠は、使用する測距点の数の設定を示しており、１点の測距点を使う１点ＡＦ、複数の測距点を使うゾーンＡＦ、被写体の位置に合わせて測距点を選択する自動選択ＡＦなどを選択することができる。
なお、デフォルトで「標準」のモードが選択されているが、所定の設定画面で「モード１」「モード２」などの他のモードに変更することができる。これにより、ユーザがよく使用する設定項目を設定可能項目とすることができ、利便性が向上する。また、回転部材であるモードダイヤル（不図示）によりモードを選択できるようにしてもよい。
また、押圧レベル２のように中間の押圧力を維持するよりも、最大の押圧レベル３もしくは最小の押圧レベル１に保つ方が比較的容易である。そこで、ユーザは、頻繁に変更する設定項目の押圧レベルが最小又は最大となるように、モードを選択することでより操作性が向上する。
【００２９】
ステップＳ３０６は、表示装置１１０の表示がオフであり、ファインダ内表示部１１２の表示がオンである場合のステップである。ステップＳ３０６では、システム制御部１２０は、ファインダ内表示部１１２用の設定可能項目マトリクスを不揮発性メモリ１２８から読み出す。
【００３０】
以上で説明したように、ステップＳ３０２及びＳ３０３において表示装置１１０、ファインダ内表示部１１２のいずれが表示中であるかに応じて、表示装置１１０用又はファインダ内表示部１１２用の設定可能項目マトリクスが選択される。２つの設定可能項目マトリクスを使い分けることによる効果について説明する。
撮像装置１００には多数の設定項目があり、表示装置１１０又はファインダ内表示部１１２の表示領域内に表示できる設定項目には限りがあるため、メインダイヤル７１及びサブダイヤル７３に割り当てる設定可能項目を所定数に限定している。
表示装置１１０がオンの場合は、全ての設定可能項目が表示装置１１０に一覧表示されるため、押圧力を変化させたときにどの設定項目を設定できるかを一目で認識することができる。なお、以下では設定可能項目が一覧表示された画面を設定項目画面という。
【００３１】
一方で、ファインダ内表示部１１２がオンの場合は、ファインダ内表示部１１２に設定可能項目が一覧表示されるが、表示装置１１０よりも表示領域が狭いため、表示装置１１０と同数の設定可能項目を表示すると見にくい場合がある。そこで、ファインダ内表示部１１２に設定項目画面を表示する場合は、表示装置１１０に設定項目画面を表示する場合よりも設定可能項目の数を少なくしてもよい。
例えば、図４の表示装置１１０用の設定可能項目マトリクスでは、合計で６つの設定可能項目が設けられるが、ファインダ内表示部１１２用の設定可能項目マトリクスでは、押圧レベル１、２に限定し、合計で４つの設定可能項目としてもよい。
【００３２】
ステップＳ３０７〜Ｓ３１７では、ステップＳ３０５，Ｓ３０６で読み出された設定可能項目マトリクスをもとに、押圧レベルに応じて各ダイヤルの操作対象を変更する。
ステップＳ３０７では、システム制御部１２０は、感圧センサ１５６から受信した電気信号をもとに、押圧力が閾値Ｂ未満であるか否かを判定する。閾値Ｂ未満である場合、ステップＳ３０８に進む。閾値Ｂ以上である場合、ステップＳ３１０に進む。
ステップＳ３０８では、システム制御部１２０はステップＳ３０５またはステップＳ３０６で読み出された設定可能項目マトリクスをもとに、メインダイヤル７１に割り当てる設定項目を第一の項目に設定する。例えば図４の標準の設定可能項目マトリクスが読み出された場合、メインダイヤル７１に割り当てる設定項目を絞り値に設定する。
ステップＳ３０９では、システム制御部１２０はステップＳ３０５またはステップＳ３０６で読み出された設定可能項目マトリクスをもとに、サブダイヤル７３に割り当てる設定項目を第二の項目に設定する。例えば図４の標準の設定可能項目マトリクスが読み出された場合、サブダイヤル７３に割り当てる設定項目を露出に設定する。
【００３３】
ステップＳ３１０では、システム制御部１２０は、感圧センサ１５６から受信した電気信号をもとに、押圧力が閾値Ｃ未満であるか否かを判定する。閾値Ｃ未満である場合、ステップＳ３１１に進む。閾値Ｃ以上である場合、ステップＳ３１３に進む。
ステップＳ３１１では、システム制御部１２０はステップＳ３０５またはステップＳ３０６で読み出された設定可能項目マトリクスをもとに、メインダイヤル７１に割り当てる設定項目を第三の項目に設定する。
ステップＳ３１２では、システム制御部１２０はステップＳ３０５またはステップＳ３０６で読み出された設定可能項目マトリクスをもとに、サブダイヤル７３に割り当てる設定項目を第四の項目に設定する。
ステップＳ３１３では、システム制御部１２０は、感圧センサ１５６から受信した電気信号をもとに、押圧力が閾値Ｄ未満であるか否かを判定する。閾値Ｄ未満である場合、ステップＳ３１４に進む。閾値Ｄ以上である場合、ステップＳ３１６に進む。
ステップＳ３１４では、システム制御部１２０はステップＳ３０５またはステップＳ３０６で読み出された設定可能項目マトリクスをもとに、メインダイヤル７１に割り当てる設定項目を第五の項目に設定する。
ステップＳ３１５では、システム制御部１２０はステップＳ３０５またはステップＳ３０６で読み出された設定可能項目マトリクスをもとに、サブダイヤル７３に割り当てる設定項目を第六の項目に設定する。
ステップＳ３１６では、システム制御部１２０はステップＳ３０５またはステップＳ３０６で読み出された設定可能項目マトリクスをもとに、メインダイヤル７１に割り当てる設定項目を第七の項目に設定する。
ステップＳ３１７では、システム制御部１２０はステップＳ３０５またはステップＳ３０６で読み出された設定可能項目マトリクスをもとに、サブダイヤル７３に割り当てる設定項目を第八の項目に設定する。
なお、本実施例では閾値Ａ、閾値Ｂ、閾値Ｃ及び閾値Ｄを設けたが、これに限定されることはなく、閾値は設定可能項目数に応じて変更してもよい。図３のフローチャートでは８つの設定可能項目があるため、４つの閾値が設けられる。また、図４の設定可能項目マトリクスを用いた場合は、６つの設定可能項目があるため、３つの閾値が設けられる。
また、閾値の数が比較的少ない場合は閾値の間隔を広く設定し、閾値の数が比較的多い場合は閾値の間隔を狭く設定してもよい。
【００３４】
ステップＳ３１８では、システム制御部１２０は、ステップＳ３０７〜Ｓ３１７で設定されたメインダイヤル７１の対象項目に、第１のカーソルを表示させる。例えば、システム制御部１２０は、設定項目画面において、メインダイヤル７１に設定された対象項目の欄に枠状のアイコンを重ねて表示する。これにより、ユーザは、メインダイヤル７１に設
定された対象項目を一目で認識することができる。なお、第１のカーソルは、枠状のアイコンに限定されない。例えば、第１のカーソルは、チェックマークを表示させる、対象項目を反転表示させる等の他の表示方法であってもよい。後述する第２のカーソルについても同様である。
【００３５】
ステップＳ３１９では、システム制御部１２０は、ステップＳ３０７〜Ｓ３１７で設定されたサブダイヤル７３の対象項目に、第２のカーソルを表示させる。例えば、表示装置１１０は、設定項目画面において、サブダイヤル７３に設定された対象項目の欄に枠状のアイコンを重ねて表示する。
なお、ステップＳ３１８及びＳ３１９において、ファインダ内表示部１１２が表示中の場合は、ファインダ内表示部１１２に表示された設定項目画面において各ダイヤルに設定された対象項目の欄にカーソルを表示してもよい。
また、第１のカーソルと第２のカーソルは、ユーザがメインダイヤル７１とサブダイヤル７３の各カーソルを識別できるよう、異なるアイコンとする。例えば、カーソルの色、形、線幅、線種のいずれかが異なるか、あるいはカーソルのアイコン周辺部に文字による説明を表示する。
【００３６】
図５は、設定項目画面の表示例を示す図である。設定項目画面は、メインダイヤル７１及びサブダイヤル７３の設定可能項目を一覧表示した画面である。システム制御部１２０は、設定可能項目マトリクスに基づいて表示装置１１０に設定項目画面を表示する。図５には、図４の設定可能項目マトリクスで「標準」モードが選択され、押圧レベルが「３」の場合の設定項目画面が示される。押圧レベルに応じたＩＳＯ感度と測距枠の欄のみが展開され、各欄が網掛けされ、さらに現在の設定値（ＩＳＯ感度：３００、測距枠：中）が表示される。また、メインダイヤル７１及びサブダイヤル７３に割り当てられた対象項目の欄が区別しやすいように、各欄に対して異なる模様の網掛けが表示される。このように、押圧レベルに応じた設定項目の欄のみを展開することで、設定項目画面を縮小化することができる。なお、設定項目画面に全ての設定可能項目の設定値を表示してもよい。
【００３７】
また、図５の状態でメインダイヤル７１を反時計回りに回転させると、ＩＳＯ感度が「３００」よりも小さい値となり、時計回りに回転させると、ＩＳＯ感度が「３００」よりも大きい値となる。また、サブダイヤル７３を反時計回りに回転させると、測距枠が「小」となり、時計回りに回転させると、測距枠が「大」となる。また、押圧力を小さくして押圧レベルを下げると、「Ａｖ」及び「露出」、「Ｔｖ」及び「ＷＢ」の設定値を変更することもできる。
また、設定項目画面は、単独で表示しても、ライブビュー画像とともに表示してもよい。
【００３８】
ステップＳ３２０では、システム制御部１２０はメインダイヤル７１が回動したか否かを判定する。回動した場合、ステップＳ３２１に進む。回動しなかった場合、ステップＳ３２２に進む。
ステップＳ３２１では、システム制御部１２０はメインダイヤル７１の回動に応じて、ステップＳ３０８、Ｓ３１１、Ｓ３１４又はＳ３１６で設定された対象項目の値を変更する。変更された値はシステム制御部１２０によって不揮発性メモリ１２８に書き込まれ、保存される。
ステップＳ３２２では、システム制御部１２０はサブダイヤル７３が回動したか否かを判定する。回動した場合、ステップＳ３２３に進む。回動しなかった場合、ステップＳ３２４に進む。
ステップＳ３２３では、システム制御部１２０はサブダイヤル７３の回動に応じて、ステップＳ３０９、Ｓ３１２、Ｓ３１５又はＳ３１７で設定された対象項目の値を変更する。変更された値はシステム制御部１２０によって不揮発性メモリ１２８に書き込まれ、保
存される。
【００３９】
ステップＳ３２４では、ステップＳ３０１と同様にシステム制御部１２０は、感圧センサ１５６から受信した電気信号をもとに、押圧力が閾値Ａより大きいか否かを判定する。押圧力が閾値Ａより大きいと判定された場合には、ステップＳ３０７に戻る。この場合、ユーザは押圧操作による設定値変更を継続して行う可能性が高い。そのため、再びステップＳ３０７から押圧レベルを判定し、押圧に応じて操作対象を変更するフローに入る。一方、押圧力が閾値Ａ以下と判定された場合には、ユーザは押圧操作による設定値変更を終了したいと考えている可能性が高いため、図３の処理を終了させるためのステップＳ３２５の処理に進む。
【００４０】
ステップＳ３２５では、表示装置１１０はステップＳ３１８〜Ｓ３１９にて表示した第１のカーソル、および第２のカーソルを非表示とする。なお、表示装置１１０が表示中ではなく、ファインダ内表示部１１２が表示中の場合には、ファインダ内表示部１１２に表示されているカーソルを非表示とする。
以上の説明したように、本実施例の構成によれば、メインダイヤル７１及びサブダイヤル７３によって、より多くの設定項目の設定値を操作すること可能となる。このように、本実施例の構成により、少ない操作部材でより複雑な項目を設定することができるという効果が得られる。
本実施例では、撮像装置１００本体が感圧センサ１５６を備えるため、いかなるレンズユニットが装着された場合においても、押圧検知を行えるという効果がある。
【００４１】
なお、本実施例ではメインダイヤル７１とサブダイヤル７３に別々の対象項目を割り当てるが、これに限定されるものではない。例えば、メインダイヤル７１とサブダイヤル７３に同一の対象項目を割り当ててもよい。その場合、設定可能項目マトリクスはメインダイヤル７１とサブダイヤル７３で共通となる。またその場合には、表示装置１１０又はファインダ内表示部１１２に表示されるカーソルは第１のカーソルのみとなる。
また、感圧センサ１５６に圧電センサを用い、システム制御部１２０は、押圧レベルが切り替わった場合に圧電センサに電圧を加えて振動させてもよい。また、システム制御部１２０は、押圧レベルが高くなるにつれて高い電圧を加えて振動強度を大きくしてもよい。これにより、ユーザが現在の押圧レベルを確認しやすくすることができる。
【００４２】
＜実施例２＞
次に、実施例２について説明する。
図６は、撮像装置６００の外部構成を示す図である。本実施例においては感圧センサ２５７をレンズユニット７００に配置する。具体的には、円筒状のレンズユニット７００の側面に１つの感圧センサ２５７を配置してもよく、またレンズユニット７００の外周に複数感圧センサ２５７を配置してもよい。また、感圧センサ２５７をレンズユニット７００の外周に沿って円環状に配置してもよい。また、図６の例では、撮像装置６００の本体側にも感圧センサ１５６が設けられているが、撮像装置６００の本体側に感圧センサ１５６がなくてもよい。
なお、感圧センサ２５７以外の外部構成については、実施例１の撮像装置１００と同じであるため、説明を省略する。
【００４３】
図７は、実施例２の撮像装置６００の内部構成の例を示すブロック図である。本実施例では、撮像装置本体６０５以外に、レンズユニット７００も感圧センサ２５７を有する。それ以外の内部構成は、実施例１と同様である。
本実施例では、装着されたレンズユニット７００が、感圧センサ２５７を有するか否かに応じて、使用する感圧センサを切り替えることとしている。
【００４４】
図８は、感圧センサ切り替え処理のフローの例を示す図である。以下、感圧センサ切り替え処理について説明する。
ステップＳ８０１では、カメラ制御部１４０は、レンズユニット７００が装着されたか否かを判定する。装着された場合、ステップＳ８０２に進む。装着されていない場合、カメラ制御部１４０は待機する。
ステップＳ８０２では、レンズ制御部２０４は、カメラ制御部１４０を介してシステム制御部１２０に、レンズユニット７００が感圧センサ２５７を持つか否かを通知する。感圧センサ２５７を持つ場合、ステップＳ８０３に進む。感圧センサ２５７を持たない場合、ステップＳ８０４に進む。
ステップＳ８０３では、ボディ側の感圧センサ１５６を無効とする。これにより、ボディ側の感圧センサ１５６を誤って操作することを避けることができる。
ステップＳ８０４では、撮像装置６００は、図３に示すフローチャートにしたがって押圧によるダイヤル操作対象の変更を行う。なお、ステップＳ８０４における処理は図３と同一であるため、説明を省略する。
【００４５】
レンズユニット７００において押圧力が検出された場合の処理について説明する。まず、感圧センサ２５７は、検出した押圧力に応じて電気信号を生成し、レンズ制御部２０４に電気信号を送信する。続いて、レンズ制御部２０４はコネクタ１０１及び２０１を介してカメラ制御部１４０に電気信号を送信し、カメラ制御部１４０はシステム制御部１２０に電気信号を送信する。そしてシステム制御部１２０が感圧センサ２５７において検出された押圧力を取得する。
【００４６】
本実施例では、レンズユニット７００が感圧センサ２５７を持つ。そのため、撮影のために撮像装置６００を構えたユーザが、レンズユニット７００を左手で保持する場合に、ユーザにとってより感圧センサに触れやすく操作が行いやすいという効果がある。
以上、本発明の好ましい実施例について説明したが、本発明はこれらの実施例に限定されず、その要旨の範囲内で種々の変形及び変更が可能である。また、一眼レフカメラ以外のミラーレスカメラ、コンパクトデジタルカメラ等の他の撮像装置（コンピュータ）にも本発明を適用することができる。
【符号の説明】
【００４７】
７１：メインダイヤル、７３：サブダイヤル、１００：撮像装置、１１０：表示装置、１２０：システム制御部、１５６：感圧センサ、２００：レンズユニット
【図１】
2019053494.tif 000003
【図２】
2019053494.tif 000004
【図３】
2019053494.tif 000005
【図４】
2019053494.tif 000006
【図５】
2019053494.tif 000007
【図６】
2019053494.tif 000008
【図７】
2019053494.tif 000009
【図８】
2019053494.tif 000010